【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
光源波長がλの光源、対物レンズ、前記対物レンズを光軸に対して垂直方向に移動することによってトラッキングを行なうトラッキング手段、および前記光源と対物レンズとの間に配置され、前記光源からの光を前記対物レンズに導く正の焦点距離を有し、かつ、少なくとも１枚のプラスチックレンズを含むカップリングレンズ系を備えた光情報記録媒体の記録および／または再生用光学系において、
前記カップリングレンズ系の最大トラッキング時に対応する開口数における波面収差の最大変化量は０．０２λｒｍｓ以下であることを特徴とする光情報記録媒体の記録および／または再生用光学系
【請求項２】
前記最大トラッキング時に対応する開口数における波面収差の最大変化量は、前記カップリングレンズ系を６０℃および相対湿度９０％の恒温恒湿槽に１６８時間保管後、２５℃および相対湿度５０％の常温常湿において３８４時間に渡って対象物の波面収差を干渉計で測定して得られる最大波面収差と最小波面収差の差分であることを特徴とする請求項１の光情報記録媒体の記録および／または再生用光学系
【請求項３】
光源波長がλの光源、対物レンズ、前記対物レンズを光軸に対して垂直方向に移動することによってトラッキングを行なうトラッキング手段、および前記光源と対物レンズとの間に配置され、前記光源からの光を前記対物レンズに導く正の焦点距離を有し、かつ、少なくとも１枚のプラスチックレンズを含むカップリングレンズ系を備えた光情報記録媒体の記録および／または再生用光学系において、
前記カップリングレンズ系に包含されるプラスチックレンズの飽和吸水率は０．５％以下であることを特徴とする光情報記録媒体の記録および／または再生用光学系
【請求項４】
光源波長がλの光源、対物レンズ、前記対物レンズを光軸に対して垂直方向に移動することによってトラッキングを行なうトラッキング手段、および前記光源と対物レンズとの間に配置され、前記光源からの光を前記対物レンズに導く正の焦点距離を有し、かつ、少なくとも１枚のプラスチックレンズを含むカップリングレンズ系を備えた光情報記録媒体の記録および／または再生用光学系において、
前記カップリングレンズ系に包含されるプラスチックレンズは、ポリオレフィン系樹脂又はノルボルネン系樹脂により構成されていることを特徴とする光情報記録媒体の記録および／または再生用光学系
【請求項５】
前記カップリングレンズ系に包含されるプラスチックレンズの飽和吸水率は０．５％以下であることを特徴とする請求項１に記載の光情報記録媒体の記録および／または再生用光学系
【請求項６】
前記カップリングレンズ系に包含されるプラスチックレンズは、ポリオレフィン系樹脂もしくはノルボルネン系樹脂により構成されていることを特徴とする請求項１または請求項５に記載の光情報記録媒体の記録および／または再生用光学系
【請求項７】
前記トラッキング手段の最大トラッキング量は、０．１ｍｍないし０．７ｍｍであることを特徴とする請求項１ないし請求項６のいずれかに記載の光情報記録媒体の記録および／または再生用光学系
【請求項８】
前記対物レンズの光情報記録媒体側の開口数ＮＡo が
ＮＡo ＞ ０．５２
であることを特徴とする請求項１ないし請求項７のいずれかに記載の光情報記録媒体の記録および／または再生用光学系
【請求項９】
前記光源の波長λが７００ｎｍ以下であることを特徴とする請求項１ないし請求項８のいずれかに記載の光情報記録媒体の記録および／または再生用光学系
【請求項１０】
光軸に対して垂直方向に移動することによってトラッキングを行う対物レンズと、光源波長がλの光源との間に配置され、前記光源からの光を前記対物レンズに導く正の焦点距離を有し、かつ少なくとも１枚のプラスチックレンズを含むカップリングレンズ系において、
該カップリングレンズ系の最大トラッキング時に対応する開口数における波面収差の最大変化量は０．０２λｒｍｓ以下であることを特徴とする光情報記録媒体の記録および／または再生用光学系のカップリングレンズ系
【請求項１１】
前記カップリングレンズ系に包含されるプラスチックレンズの飽和吸水率は０．５％以下であることを特徴とする請求項１０に記載の光情報記録媒体の記録および／または再生用光学系のカップリングレンズ系
【請求項１２】
前記カップリングレンズ系に包含されるプラスチックレンズは、ポリオレフィン系樹脂もしくはノルボルネン系樹脂により構成されていることを特徴とする請求項１０または請求項１１に記載の光情報記録媒体の記録および／または再生用光学系のカップリングレンズ系
【請求項１３】
前記対物レンズの光情報記録媒体側の開口数ＮＡo がＮＡo ＞ ０．５２であることを特徴とする請求項１０ないし請求項１２のいずれかに記載の光情報記録媒体の記録および／または再生用光学系のカップリングレンズ系
【請求項１４】
前記光源の波長λが７００ｎｍ以下であることを特徴とする請求項１０ないし請求項１３のいずれかに記載の光情報記録媒体の記録および／または再生用光学系のカップリングレンズ系
【請求項１５】
前記カップリングレンズ光学系は、プラスチック単レンズであることを特徴とする請求項１０ないし請求項１４のいずれかに記載の光情報記録媒体の記録および／または再生用光学系のカップリングレンズ系
【請求項１６】
前記プラスチック単レンズの焦点距離ｆc が、以下の条件を満足することを特徴とする請求項１５に記載の光情報記録媒体の記録および／または再生用光学系のカップリングレンズ系
１２ｍｍ ＜ ｆc ＜ ３６ｍｍ
【請求項１７】
光情報記録媒体の記録および／または再生用光学系のカップリングレンズ系を構成するプラスチック単レンズであって、プラスチック材料の飽和吸水率が０．５％以下であることを特徴とするプラスチック単レンズ
【請求項１８】
光情報記録媒体の記録および／または再生用光学系のカップリングレンズ系を構成するプラスチック単レンズであって、プラスチック材料がポリオレフィン系樹脂もしくはノルボルネン系樹脂であることを特徴とするプラスチック単レンズ
【請求項１９】
焦点距離ｆc が以下の条件を満足することを特徴とする請求項１７又は請求項１８に記載のプラスチック単レンズ
１２ｍｍ  ＜  ｆc  ＜  ３６ｍｍ
【請求項２０】
カップリングレンズ系がコリメーター単レンズであることを特徴とする請求項１７ないし請求項１９のいずれかに記載のプラスチック単レンズ
【請求項２１】
前記光情報記録媒体の記録および／または再生用光学系は、光源、対物レンズ、前記対物レンズを光軸に対して垂直方向に移動することによってトラッキングを行なうトラッキング手段、および前記カップリングレンズ系を有し、
前記カップリングレンズ系は、前記光源と前記対物レンズとの間に配置され、前記光源からの光を前記対物レンズに導く正の焦点距離を有することを特徴とする請求項１７ないし請求項２０のいずれかに記載のプラスチック単レンズ
【請求項２２】
前記カップリングレンズ系の最大トラッキング時に対応する開口数における波面収差の最大変化量は０．０２λｒｍｓ以下であることを特徴とする請求項１７ないし請求項２１のいずれかに記載のプラスチック単レンズ
【請求項２３】
前記光情報記録媒体の記録および／または再生用光学系は、波長λが７００ｎｍ以下である光源を有することを特徴とする請求項１７ないし請求項２２のいずれかに記載のプラスチック単レンズ
【手続補正２】
【補正対象書類名】明細書
【補正対象項目名】０００５
【補正方法】変更
【補正の内容】
【０００５】
なお、光源とは反対側から見た結像倍率ｍc が正であるカップリングレンズ系を用いることで、光源から射出される発散光の発散度を減らし、対物レンズ単体の結像倍率を、負でかつゼロに近く設定した例としては、特開平６−２５８５７３号公報、特開平８−５９０９号公報がある。後者は、対物レンズとして樹脂製の両面非球面レンズを想定しており、カップリングレンズ系としては樹脂製の少なくとも片面が非球面化された単レンズを想定している。何れの例も、対物レンズを樹脂化した場合において、光学系や対物レンズの高ＮＡ化に伴い、問題となる環境温度の変化により発生する球面収差とフォーカシングにより変動する球面収差についての解決策について記載されている。


【手続補正３】
【補正対象書類名】明細書
【補正対象項目名】符号の説明
【補正方法】変更
【補正の内容】
【符号の説明】
１  光源                                ２  カバーガラス
３  コリメータレンズ                    ５  絞り
６，１６  対物レンズ                    ７  基板
８  記録面                            １３  カップリングレンズ


【手続補正４】
【補正対象書類名】図面
【補正対象項目名】図１
【補正方法】変更
【補正の内容】
【図１】
1998055562.tif 000001
【手続補正５】
【補正対象書類名】図面
【補正対象項目名】図４
【補正方法】変更
【補正の内容】
【図４】
1998055562.tif 000002
【手続補正６】
【補正対象書類名】図面
【補正対象項目名】図１０
【補正方法】変更
【補正の内容】
【図１０】
1998055562.tif 000003